(57)【特許請求の範囲】
【請求項１】
自己音声認識装置であって、
装置本体（３）と、装置本体を支持するとともに、使用者の頭部に装着される装置本体支持部（１００）とを有し、
装置本体は、導音部（７）と、導音部の先端から連設された呼気遮蔽部（３２）と、導音部に設けられ、導音部内の空気を排出するファンユニット（７０、８０）とを有し、
導音部は、先端側が開口した筒状を呈し、導音部は、導音部の先端から後端までの途中位置に設けられ、ファンユニットに対して空気を排出するための第１開口部（１２−１、１２−１’）と、導音部の後端側に設けられ、使用者の耳に音声を伝達するための第２開口部（１５）を有し、
呼気遮蔽部は、導音部の先端の開口から連設され、呼気遮蔽部は、除菌用の液体を塗布した除菌シート（４０）を固定するための固定面で、導音部の内側の面から連続した面である固定面（３２ｂ）を有し、
ファンユニットは、第１開口部と連通する吸引口（７２、８４）と吸引口から吸引された空気を排出するための排出口（７３、８５）とを有し、導音部における第１開口部の位置に設けられたケース部（７１、８２）と、吸引口から空気を吸引し排出口から空気を排出するファン（７５、９０）と、ファンを回転させる駆動部（７５、８６）とを有し、
装置本体支持部を使用者の頭部に装着した状態で、使用者の口から出る呼気が呼気遮蔽部に吹き付けられる位置に呼気遮蔽部が配置されることを特徴とする自己音声認識装置。
【請求項２】
呼気遮蔽部の固定面には、除菌シート（４０）が固定されていることを特徴とする請求項１に記載の自己音声認識装置。
【請求項３】
自己音声認識装置であって、
装置本体（３）と、装置本体を支持するとともに、使用者の頭部に装着される装置本体支持部（１００）とを有し、
装置本体は、導音部（７）と、導音部の先端から連設された呼気遮蔽部（３２）と、呼気遮蔽部に固定された除菌シート（４０）と、導音部に設けられ、導音部内の空気を排出するファンユニット（７０、８０）とを有し、
導音部は、先端側が開口した筒状を呈し、導音部は、導音部の先端から後端までの途中位置に設けられ、ファンユニットに対して空気を排出するための第１開口部（１２−１、１２−１’）と、導音部の後端側に設けられ、使用者の耳に音声を伝達するための第２開口部（１５）を有し、
呼気遮蔽部は、導音部の先端の開口から連設され、呼気遮蔽部は、除菌シートを固定するための固定面で、導音部の内側の面から連続した面である固定面（３２ｂ）を有し、
除菌シートには、除菌用の液体が塗布されていて、除菌シートは、呼気遮蔽部の該固定面に固定され、
ファンユニットは、第１開口部と連通する吸引口（７２、８４）と吸引口から吸引された空気を排出するための排出口（７３、８５）とを有し、導音部における第１開口部の位置に設けられたケース部（７１、８２）と、吸引口から空気を吸引し排出口から空気を排出するファン（７５、９０）と、ファンを回転させる駆動部（７５、８６）とを有し、
装置本体支持部を使用者の頭部に装着した状態で、使用者の口から出る呼気が除菌シートに吹き付けられる位置に呼気遮蔽部が配置されることを特徴とする自己音声認識装置。
【請求項４】
除菌シートは、呼気遮蔽部の固定面に固定された本体部（４２）と、本体部から連設され、導音部の内側の面まで形成された連設部（４４）とを有することを特徴とする請求項２又は３に記載の自己音声認識装置。
【請求項５】
導音部が、外板部（１２、２２）と、内板部（１４、２４）と、外板部の辺部と内板部の辺部を連結する連結部（１６、２６−１、２６−２）により四角筒状を呈し、第１開口部は外板部に設けられ、第２開口部は内板部に設けられ、
ファンユニットは、外板部に設けられ、
呼気遮蔽部は、外板部から連設され、呼気遮蔽部における外板部の内側の面から連続した面が、固定面となり、
装置本体支持部を使用者の頭部に装着した状態では、内板部が使用者側を向き、外板部が使用者側とは反対側を向くことを特徴とする請求項１又は２又は３又は４に記載の自己音声認識装置。
【請求項６】
導音部が、先端側の端部が開口し後端側の端部が閉塞した四角筒状を呈する第１筒状部（１０）と、第１筒状部の先端側の端部から連設され、第１筒状部側とは反対側の端部が開口した四角筒状を呈する第２筒状部（２０）を有し、
第１筒状部は、第１外板部（１２）と、第１外板部と略平行な第１内板部（１４）と、第１外板部の辺部と第１内板部の辺部を連結する第１連結部（１６）により筒状に形成され、
第２筒状部は、第１外板部から連設された第２外板部（２２）と、第２外板部と略平行で第１内板部から連設された第２内板部（２４）と、第２外板部の辺部と第２内板部の辺部を連結する第２連結部（２６−１、２６−２）により筒状に形成され、
第１内板部の第１外板部側とは反対側の面と、第２内板部の第２外板部側とは反対側の面が鈍角をなすように、第２筒状部が第１筒状部に対して屈曲し、
第１開口部は第１外板部に設けられ、第２開口部は第１内板部に設けられ、
ファンユニットは、第１外板部に設けられ、
呼気遮蔽部は、第２外板部から連設され、呼気遮蔽部における第２外板部の内側の面から連続した面が、固定面となり、
装置本体支持部を使用者の頭部に装着した状態では、第１内板部及び第２内板部が使用者側を向き、第１外板部及び第２外板部が使用者側とは反対側を向くことを特徴とする請求項１又は２又は３又は４に記載の自己音声認識装置。
【請求項７】
第２開口部は、不織布製のシート状部（５０）により被覆されていることを特徴とする請求項１又は２又は３又は４又は５又は６に記載の自己音声認識装置。
【請求項８】
導音部には、導音部における第２開口部が形成された領域を覆う耳パッドで、装置本体支持部を使用者の頭部に装着した状態で、使用者の耳に接する耳パッド（６０）が設けられていることを特徴とする請求項１又は２又は３又は４又は５又は６又は７に記載の自己音声認識装置。
【請求項９】
装置本体支持部が、導音部における第２開口部が形成された面とは反対側の面である外側の面に、該外側の面に対して回転可能に設けられた接続部（１０６）と、
接続部から連設された頭部装着部で、装置本体支持部を使用者の頭部に装着した状態で、使用者の頭部に固定して装着される頭部装着部（１２１）とを有することを特徴とする請求項１又は２又は３又は４又は５又は６又は７又は８に記載の自己音声認識装置。
【請求項１０】
自己音声認識装置であって、
装置本体（３）と、装置本体を支持するとともに、使用者の頭部に装着される装置本体支持部（１００）とを有し、
装置本体は、導音部（７）と、導音部の先端から連設された呼気遮蔽部（３２）と、呼気遮蔽部に固定された除菌シート（４０）と、導音部に設けられ、導音部内の空気を排出するファンユニット（７０、８０）とを有し、
導音部は、先端側の端部が開口し後端側の端部が閉塞した四角筒状を呈する第１筒状部（１０）と、第１筒状部の先端側の端部から連設され、第１筒状部側とは反対側の端部が開口した四角筒状を呈する第２筒状部（２０）を有し、
第１筒状部は、第１外板部（１２）と、第１外板部と略平行な第１内板部（１４）と、第１外板部の辺部と第１内板部の辺部を連結する第１連結部（１６）により筒状に形成され、
第２筒状部は、第１外板部から連設された第２外板部（２２）と、第２外板部と略平行で第１内板部から連設された第２内板部（２４）と、第２外板部の辺部と第２内板部の辺部を連結する第２連結部（２６−１、２６−２）により筒状に形成され、
第１内板部の第１外板部側とは反対側の面と、第２内板部の第２外板部側とは反対側の面が鈍角をなすように、第２筒状部が第１筒状部に対して屈曲し、
ファンユニットに対して空気を排出するための第１開口部（１２−１、１２−１’）が第１外板部に設けられ、使用者の耳に音声を伝達するための第２開口部（１５）が第１内板部の後端側に設けられ、
呼気遮蔽部は、第２外板部から連設され、呼気遮蔽部は、除菌シートを固定するための固定面で、呼気遮蔽部における第２外板部の内側の面から連続した面である固定面（３２ｂ）を有し、
除菌シートは、呼気遮蔽部の固定面に固定された本体部（４２）と、本体部から連設され、第２筒状部の内側の面まで形成された連設部（４４）とを有し、除菌シートには、除菌用の液体が塗布されていて、除菌シートは、呼気遮蔽部の該固定面に固定され、
ファンユニットは、第１開口部と連通する吸引口（７２、８４）と吸引口から吸引された空気を排出するための排出口（７３、８５）とを有し、第１外板部における第１開口部の位置に設けられたケース部（７１、８２）と、吸引口から空気を吸引し排出口から空気を排出するファン（７５、９０）と、ファンを回転させる駆動部（７５、８６）とを有し、ケース部は、第１外板部に設けられ、
装置本体支持部を使用者の頭部に装着した状態では、第１内板部の外面及び第２内板部の外面が使用者側を向くとともに、第１外板部の外面及び第２外板部の外面が使用者側とは反対側を向き、
第２開口部は、不織布製のシート状部（５０）により被覆され、
第１内板部には、第１内板部の第２開口部が形成された領域及びシート状部を覆う耳パッドで、装置本体支持部を使用者の頭部に装着した状態で、使用者の耳に接する耳パッド（６０）が設けられ、
装置本体支持部が、第１外板部に対して回転自在に設けられた接続部（１０６）と、
接続部から連設された頭部装着部で、装置本体支持部を使用者の頭部に装着した状態で、使用者の頭部に固定して装着される頭部装着部（１２１）とを有し、
頭部装着部は、接続部から連設されたヘッドバンドで、装置本体支持部を使用者の頭部に装着した状態で、使用者の頭部にの表面に沿うように湾曲した略帯状を呈するヘッドバンド（１０４）と、
ヘッドバンドの接続部側とは反対側の端部から連設された耳接触ユニットで、第２開口部側の耳とは反対側の耳に接する耳パッド（１２０）を有する耳接触ユニット（１２２）を有し、
装置本体支持部を使用者の頭部に装着した状態で、使用者の口から出る呼気が除菌シートに吹き付けられる位置に呼気遮蔽部が配置されることを特徴とする自己音声認識装置。
【請求項１１】
ファンがシロッコファンであり、ケース部に設けられた排出口が、ケース部におけるシロッコファンの周面に対応した位置に設けられていることを特徴とする請求項１又は２又は３又は４又は５又は６又は７又は８又は９又は１０に記載の自己音声認識装置。
【請求項１２】
ファンがシロッコファンであり、ケース部が、シロッコファンの周面の外側に形成された略筒状の側面部（８２−２）と、側面部における導音部側とは反対側の開口を閉鎖する閉鎖面部（８２−１）を有し、
ケース部の排出口が、側面部における領域で、シロッコファンの回転中心の軸線（Ｊ３）を通るとともに、第１筒状部の先端と後端を結ぶ軸線（Ｊ２）の方向に対して垂直となる仮想平面よりも後端側の領域に設けられていることを特徴とする請求項６又は１０に記載の自己音声認識装置。
【請求項１３】
ファンがプロペラファンであり、ケース部に設けられた排出口が、ケース部における導音部側とは反対側に設けられていることを特徴とする請求項１又は２又は３又は４又は５又は６又は７又は８又は９又は１０に記載の自己音声認識装置。
【請求項１４】
ケース部には、排出口を開閉するカバー部（７６）が設けられていることを特徴とする請求項１３に記載の自己音声認識装置。
【発明の詳細な説明】
【技術分野】
【０００１】
本発明は、歌唱等において、自分が発した音声を認識しやすくする自己音声認識装置に関するものである。
【背景技術】
【０００２】
従来より、歌唱の練習や英語等の学習のために、自分が発した音声を認識しやすくする自己音声認識装置として、特許文献１〜特許文献３に記載のものが存在する。
【０００３】
特許文献１に記載の自己音声認識装置においては、 音導管２０の一端側に集音部３０を、他端側に耳の穴に装着するイヤホン部４０を備える自己音声認識装置において、イヤホン部４０における音導孔４４に大気と通じる通気管４２が設けられている。
【０００４】
また、特許文献２に記載の学習器具においては、集音部５と、チューブ２、２と、腕部材４、４と、耳装着部７、７が設けられている。
【０００５】
また、特許文献３にお記載の自己音声確聴器においては、左右２個の耳あて受話器１、２がパイプ３により連結され、一方の受話器にパイプ４を介して送話器５が設けられている。
【０００６】
上記特許文献１〜３に記載の装置においては、カラオケやコーラス等において、カラオケの伴奏音やコーラスにおける他人の声等のように自己の音声以外の音が耳に入る音がある場合でも、自己を音声を認識しやすくできるので、自己が意図する発声がしやすくなる。例えば、歌唱においては、音程や歌詞の誤りを防止し、また、英語学習においては、発音の誤りを防止することができる。
【先行技術文献】
【特許文献】
【０００７】
【特許文献１】特開２００１−１０９４８１号公報
【特許文献２】実用新案登録第３０３７１１１号公報
【特許文献３】実開昭６２−８７４００号公報
【発明の概要】
【発明が解決しようとする課題】
【０００８】
しかし、上記特許文献１〜３に記載の装置においては、自己の音声を認識することはできるものの、複数人が集まった場所で使用する場合には、発声により飛沫が発生するので、飛沫によるウイルス感染の危険がある。
【０００９】
特に、カラオケやコーラスのような歌唱の場合には、大声を出すことから飛沫の飛散量も多く、ウイルス感染の危険が大きい。
【００１０】
さらに、飛沫によるウイルス感染が流行している状況では、感染を未然に防止するために複数人が集まって発声することは控える傾向がある。例えば、カラオケは、一般的に複数人が集まる場所で行われることが多く、また、コーラスは複数人が集まって歌唱することから、飛沫によるウイルス感染が流行している状況では、感染を未然に防ぐためにカラオケの利用やコーラスの実施を控える傾向がある。
【００１１】
そこで、自己の音声を認識しやすくする自己音声認識装置において、複数人が集まった場所で使用する場合でも、飛沫によるウイルス感染を防止することができ、飛沫によるウイルス感染が流行している状況でも、カラオケ等のように複数人が集まって発声することができる自己音声認識装置を提供することを目的とするものである。
【課題を解決するための手段】
【００１２】
本発明は上記問題点を解決するために創作されたものであって、第１には、自己音声認識装置であって、装置本体（３）と、装置本体を支持するとともに、使用者の頭部に装着される装置本体支持部（１００）とを有し、装置本体は、導音部（７）と、導音部の先端から連設された呼気遮蔽部（３２）と、導音部に設けられ、導音部内の空気を排出するファンユニット（７０、８０）とを有し、導音部は、先端側が開口した筒状を呈し、導音部は、導音部の先端から後端までの途中位置に設けられ、ファンユニットに対して空気を排出するための第１開口部（１２−１、１２−１’）と、導音部の後端側に設けられ、使用者の耳に音声を伝達するための第２開口部（１５）を有し、呼気遮蔽部は、導音部の先端の開口から連設され、呼気遮蔽部は、除菌用の液体を塗布した除菌シート（４０）を固定するための固定面で、導音部の内側の面から連続した面である固定面（３２ｂ）を有し、ファンユニットは、第１開口部と連通する吸引口（７２、８４）と吸引口から吸引された空気を排出するための排出口（７３、８５）とを有し、導音部における第１開口部の位置に設けられたケース部（７１、８２）と、吸引口から空気を吸引し排出口から空気を排出するファン（７５、９０）と、ファンを回転させる駆動部（７５、８６）とを有し、装置本体支持部を使用者の頭部に装着した状態で、使用者の口から出る呼気が呼気遮蔽部（呼気遮蔽部の固定面としてもよい）に吹き付けられる位置に呼気遮蔽部が配置されることを特徴とする。
【００１３】
第１の構成の自己音声認識装置においては、使用者の口から発せられた音声は、導音部内を通って第２開口部から流出して、使用者の耳に伝えられるので、使用者は、自分の音声を十分認識することができる。
【００１４】
また、呼気遮蔽部の固定面に除菌シートを固定した状態で、使用者が発声することにより除菌シートに向けて吹き付けられた呼気は除菌シートに接触した後に、ファンユニットによる吸引力により導音部内に流入し、導音部の第１開口部からファンユニットを経てファンユニットの排出口から排出される。呼気中の飛沫は除菌シートに接触するので、飛沫中のウイルスを死滅させることができる。特に、ファンユニットにより呼気を吸引しているので、呼気は周囲に拡散することなく、除菌シートに接触しやすくでき、また、呼気遮蔽部の周りの呼気も吸引して、除菌シートに接触させることができることから、効率的にウイルスを死滅させることができる。
【００１５】
よって、複数人が集まった場所で使用する場合でも、飛沫によるウイルス感染を防止することができ、飛沫によるウイルス感染が流行している状況でも、カラオケ等のように複数人が集まって発声することができる。
【００１６】
また、第２には、上記第１の構成において、呼気遮蔽部の固定面には、除菌シート（４０）が固定されていることを特徴とする。
【００１７】
また、第３には、自己音声認識装置であって、装置本体（３）と、装置本体を支持するとともに、使用者の頭部に装着される装置本体支持部（１００）とを有し、装置本体は、導音部（７）と、導音部の先端から連設された呼気遮蔽部（３２）と、呼気遮蔽部に固定された除菌シート（４０）と、導音部に設けられ、導音部内の空気を排出するファンユニット（７０、８０）とを有し、導音部は、先端側が開口した筒状を呈し、導音部は、導音部の先端から後端までの途中位置に設けられ、ファンユニットに対して空気を排出するための第１開口部（１２−１、１２−１’）と、導音部の後端側に設けられ、使用者の耳に音声を伝達するための第２開口部（１５）を有し、呼気遮蔽部は、導音部の先端の開口から連設され、呼気遮蔽部は、除菌シートを固定するための固定面で、導音部の内側の面から連続した面である固定面（３２ｂ）を有し、除菌シートには、除菌用の液体が塗布されていて、除菌シートは、呼気遮蔽部の該固定面に固定され、ファンユニットは、第１開口部と連通する吸引口（７２、８４）と吸引口から吸引された空気を排出するための排出口（７３、８５）とを有し、導音部における第１開口部の位置に設けられたケース部（７１、８２）と、吸引口から空気を吸引し排出口から空気を排出するファン（７５、９０）と、ファンを回転させる駆動部（７５、８６）とを有し、装置本体支持部を使用者の頭部に装着した状態で、使用者の口から出る呼気が除菌シートに吹き付けられる位置に呼気遮蔽部が配置されることを特徴とする。
【００１８】
第３の構成の自己音声認識装置においては、使用者の口から発せられた音声は、導音部内を通って第２開口部から流出して、使用者の耳に伝えられるので、使用者は、自分の音声を十分認識することができる。
【００１９】
また、呼気遮蔽部の固定面に除菌シートを固定した状態で、使用者が発声することにより除菌シートに向けて吹き付けられた呼気は除菌シートに接触した後に、ファンユニットによる吸引力により導音部内に流入し、導音部の第１開口部からファンユニットを経てファンユニットの排出口から排出される。呼気中の飛沫は除菌シートに接触するので、飛沫中のウイルスを死滅させることができる。特に、ファンユニットにより呼気を吸引しているので、呼気は周囲に拡散することなく、除菌シートに接触しやすくでき、また、呼気遮蔽部の周りの呼気も吸引して、除菌シートに接触させることができることから、効率的にウイルスを死滅させることができる。
【００２０】
よって、複数人が集まった場所で使用する場合でも、飛沫によるウイルス感染を防止することができ、飛沫によるウイルス感染が流行している状況でも、カラオケ等のように複数人が集まって発声することができる。
【００２１】
また、第４には、上記第２又は第３の構成において、除菌シートは、呼気遮蔽部の固定面に固定された本体部（４２）と、本体部から連設され、導音部の内側の面まで形成された連設部（４４）とを有することを特徴とする。
【００２２】
よって、除菌シートの連設部は、導音部の内側の面にも設けられているので、導音部を呼気が通過する際にも、飛沫が連設部に接して飛沫中のウイルスを死滅させることができる。
【００２３】
また、第５には、上記第１から第４までのいずれかの構成において、導音部が、外板部（１２、２２）と、内板部（１４、２４）と、外板部の辺部と内板部の辺部を連結する連結部（１６、２６−１、２６−２）により四角筒状を呈し、第１開口部は外板部に設けられ、第２開口部は内板部に設けられ、ファンユニットは、外板部に設けられ、呼気遮蔽部は、外板部から連設され、呼気遮蔽部における外板部の内側の面から連続した面が、固定面となり、装置本体支持部を使用者の頭部に装着した状態では、内板部が使用者側を向き、外板部が使用者側とは反対側を向くことを特徴とする。
【００２４】
また、第６には、上記第１から第４までのいずれかの構成において、導音部が、先端側の端部が開口し後端側の端部が閉塞した四角筒状を呈する第１筒状部（１０）と、第１筒状部の先端側の端部から連設され、第１筒状部側とは反対側の端部が開口した四角筒状を呈する第２筒状部（２０）を有し、第１筒状部は、第１外板部（１２）と、第１外板部と略平行な第１内板部（１４）と、第１外板部の辺部と第１内板部の辺部を連結する第１連結部（１６）により筒状に形成され、第２筒状部は、第１外板部から連設された第２外板部（２２）と、第２外板部と略平行で第１内板部から連設された第２内板部（２４）と、第２外板部の辺部と第２内板部の辺部を連結する第２連結部（２６−１、２６−２）により筒状に形成され、第１内板部の第１外板部側とは反対側の面と、第２内板部の第２外板部側とは反対側の面が鈍角をなすように、第２筒状部が第１筒状部に対して屈曲し、第１開口部は第１外板部に設けられ、第２開口部は第１内板部に設けられ、ファンユニットは、第１外板部に設けられ、呼気遮蔽部は、第２外板部から連設され、呼気遮蔽部における第２外板部の内側の面から連続した面が、固定面となり、装置本体支持部を使用者の頭部に装着した状態では、第１内板部及び第２内板部が使用者側を向き、第１外板部及び第２外板部が使用者側とは反対側を向くことを特徴とする。
【００２５】
よって、第２筒状部は、第１筒状部に対して屈曲しているので、呼気遮蔽部を使用者の口の前に配置させることができる。
【００２６】
また、第７には、上記第１から第６までのいずれかの構成において、第２開口部は、不織布製のシート状部（５０）により被覆されていることを特徴とする。
【００２７】
よって、シート状部により、導音部に流入した呼気中の飛沫が第２開口部から外部に漏れて耳に入るのを防止することができるとともに、ファンユニットのファンが回転することによる吸引力により耳がひっぱられる不快感を防止することができる。
【００２８】
また、第８には、上記第１から第７までのいずれかの構成において、導音部には、導音部における第２開口部が形成された領域を覆う耳パッドで、装置本体支持部を使用者の頭部に装着した状態で、使用者の耳に接する耳パッド（６０）が設けられていることを特徴とする。
【００２９】
また、第９には、上記第１から第８までのいずれかの構成において、装置本体支持部が、導音部における第２開口部が形成された面とは反対側の面である外側の面に、該外側の面に対して回転可能に設けられた接続部（１０６）と、接続部から連設された頭部装着部で、装置本体支持部を使用者の頭部に装着した状態で、使用者の頭部に固定して装着される頭部装着部（１２１）とを有することを特徴とする。
【００３０】
なお、上記第９の構成において、以下の構成としてもよい。すなわち、頭部装着部は、接続部から連設されたヘッドバンドで、装置本体支持部を使用者の頭部に装着した状態で、使用者の頭部の表面に沿うように湾曲した略帯状を呈するヘッドバンド（１０４）と、ヘッドバンドの接続部側とは反対側の端部から連設された耳接触ユニットで、第２開口部側の耳とは反対側の耳に接する耳パッド（１２０）を有する耳接触ユニット（１２２）を有することを特徴とするものとしてもよい。
【００３１】
また、第１０には、自己音声認識装置であって、装置本体（３）と、装置本体を支持するとともに、使用者の頭部に装着される装置本体支持部（１００）とを有し、装置本体は、導音部（７）と、導音部の先端から連設された呼気遮蔽部（３２）と、呼気遮蔽部に固定された除菌シート（４０）と、導音部に設けられ、導音部内の空気を排出するファンユニット（７０、８０）とを有し、導音部は、先端側の端部が開口し後端側の端部が閉塞した四角筒状を呈する第１筒状部（１０）と、第１筒状部の先端側の端部から連設され、第１筒状部側とは反対側の端部が開口した四角筒状を呈する第２筒状部（２０）を有し、第１筒状部は、第１外板部（１２）と、第１外板部と略平行な第１内板部（１４）と、第１外板部の辺部と第１内板部の辺部を連結する第１連結部（１６）により筒状に形成され、第２筒状部は、第１外板部から連設された第２外板部（２２）と、第２外板部と略平行で第１内板部から連設された第２内板部（２４）と、第２外板部の辺部と第２内板部の辺部を連結する第２連結部（２６−１、２６−２）により筒状に形成され、第１内板部の第１外板部側とは反対側の面と、第２内板部の第２外板部側とは反対側の面が鈍角をなすように、第２筒状部が第１筒状部に対して屈曲し、ファンユニットに対して空気を排出するための第１開口部（１２−１、１２−１’）が第１外板部に設けられ、使用者の耳に音声を伝達するための第２開口部（１５）が第１内板部の後端側に設けられ、呼気遮蔽部は、第２外板部から連設され、呼気遮蔽部は、除菌シートを固定するための固定面で、呼気遮蔽部における第２外板部の内側の面から連続した面である固定面（３２ｂ）を有し、除菌シートは、呼気遮蔽部の固定面に固定された本体部（４２）と、本体部から連設され、第２筒状部の内側の面まで形成された連設部（４４）とを有し、除菌シートには、除菌用の液体が塗布されていて、除菌シートは、呼気遮蔽部の該固定面に固定され、ファンユニットは、第１開口部と連通する吸引口（７２、８４）と吸引口から吸引された空気を排出するための排出口（７３、８５）とを有し、第１外板部における第１開口部の位置に設けられたケース部（７１、８２）と、吸引口から空気を吸引し排出口から空気を排出するファン（７５、９０）と、ファンを回転させる駆動部（７５、８６）とを有し、ケース部は、第１外板部に設けられ、装置本体支持部を使用者の頭部に装着した状態では、第１内板部の外面及び第２内板部の外面が使用者側を向くとともに、第１外板部の外面及び第２外板部の外面が使用者側とは反対側を向き、第２開口部は、不織布製のシート状部（５０）により被覆され、第１内板部には、第１内板部の第２開口部が形成された領域及びシート状部を覆う耳パッドで、装置本体支持部を使用者の頭部に装着した状態で、使用者の耳に接する耳パッド（６０）が設けられ、装置本体支持部が、第１外板部に対して回転自在に設けられた接続部（１０６）と、接続部から連設された頭部装着部で、装置本体支持部を使用者の頭部に装着した状態で、使用者の頭部に固定して装着される頭部装着部（１２１）とを有し、頭部装着部は、接続部から連設されたヘッドバンドで、装置本体支持部を使用者の頭部に装着した状態で、使用者の頭部にの表面に沿うように湾曲した略帯状を呈するヘッドバンド（１０４）と、ヘッドバンドの接続部側とは反対側の端部から連設された耳接触ユニットで、第２開口部側の耳とは反対側の耳に接する耳パッド（１２０）を有する耳接触ユニット（１２２）を有し、装置本体支持部を使用者の頭部に装着した状態で、使用者の口から出る呼気が除菌シートに吹き付けられる位置に呼気遮蔽部が配置されることを特徴とする。
【００３２】
第１０の構成の自己音声認識装置においては、使用者の口から発せられた音声は、導音部内を通って第２開口部から流出して、使用者の耳に伝えられるので、使用者は、自分の音声を十分認識することができる。
【００３３】
また、呼気遮蔽部の固定面に除菌シートを固定した状態で、使用者が発声することにより除菌シートに向けて吹き付けられた呼気は除菌シートに接触した後に、ファンユニットによる吸引力により導音部内に流入し、導音部の第１開口部からファンユニットを経てファンユニットの排出口から排出される。呼気中の飛沫は除菌シートに接触するので、飛沫中のウイルスを死滅させることができる。特に、ファンユニットにより呼気を吸引しているので、呼気は周囲に拡散することなく、除菌シートに接触しやすくでき、また、呼気遮蔽部の周りの呼気も吸引して、除菌シートに接触させることができることから、効率的にウイルスを死滅させることができる。
【００３４】
よって、複数人が集まった場所で使用する場合でも、飛沫によるウイルス感染を防止することができ、飛沫によるウイルス感染が流行している状況でも、カラオケ等のように複数人が集まって発声することができる。
【００３５】
また、除菌シートの連設部は、導音部の内側の面にも設けられているので、導音部を呼気が通過する際にも、飛沫が連設部に接して飛沫中のウイルスを死滅させることができる。
【００３６】
また、第２筒状部は、第１筒状部に対して屈曲しているので、呼気遮蔽部を使用者の口の前に配置させることができる。
【００３７】
また、シート状部により、導音部に流入した呼気中の飛沫が第２開口部から外部に漏れて耳に入るのを防止することができるとともに、ファンユニットのファンが回転することによる吸引力により耳がひっぱられる不快感を防止することができる。
【００３８】
なお、上記第６または第１０の構成において、以下の構成としてもよい。すなわち、呼気遮蔽部の周端から呼気遮蔽部の固定面側に立設する壁部（３６）と、第２内板部の先端から第２内板部の第２外板部側とは反対側の面に対して立設する第２壁部（３８）を有することを特徴とするものとしてもよい。
【００３９】
また、第１１には、上記第１から第１０までのいずれかの構成において、ファンがシロッコファンであり、ケース部に設けられた排出口が、ケース部におけるシロッコファンの周面に対応した位置に設けられていることを特徴とする。
【００４０】
よって、ファンがシロッコファンであるので、ファン回転時の音を小さくでき、導音部を通じた音声の認識が容易であり、小さな声で発声した場合でも認識することが可能となる。
【００４１】
また、第１２には、ファンがシロッコファンであり、ケース部が、シロッコファンの周面の外側に形成された筒状の側面部（８２−２）と、側面部における導音部側とは反対側の開口を閉鎖する閉鎖面部（８２−１）を有し、ケース部の排出口が、側面部における領域で、シロッコファンの回転中心の軸線（Ｊ３）を通るとともに、第１筒状部の先端と後端を結ぶ軸線（Ｊ２）の方向に対して垂直となる仮想平面よりも後端側の領域に設けられていることを特徴とする。
【００４２】
よって、ファンがシロッコファンであるので、ファン回転時の音を小さくでき、導音部を通じた音声の認識が容易であり、小さな声で発声した場合でも認識することが可能となる。さらに、ケース部の排出口が、側面部における仮想平面よりも後端側の領域に設けられているので、使用者の前方に排出されないようにすることができる。
【００４３】
また、第１３には、上記第１から第１０までのいずれかの構成において、ファンがプロペラファンであり、ケース部に設けられた排出口が、ケース部における導音部側とは反対側に設けられていることを特徴とする。
【００４４】
また、第１４には、上記第１３において、ケース部には、排出口を開閉するカバー部（７６）が設けられていることを特徴とする。
【発明の効果】
【００４５】
本発明に基づく自己音声認識装置によれば、使用者の口から発せられた音声は、導音部内を通って第２開口部から流出して、使用者の耳に伝えられるので、使用者は、自分の音声を十分認識することができる。
【００４６】
また、呼気遮蔽部の固定面に除菌シートを固定した状態で、使用者が発声することにより除菌シートに向けて吹き付けられた呼気は除菌シートに接触した後に、ファンユニットによる吸引力により導音部内に流入し、導音部の第１開口部からファンユニットを経てファンユニットの排出口から排出される。呼気中の飛沫は除菌シートに接触するので、飛沫中のウイルスを死滅させることができる。特に、ファンユニットにより呼気を吸引しているので、呼気は周囲に拡散することなく、除菌シートに接触しやすくでき、また、呼気遮蔽部の周りの呼気も吸引して、除菌シートに接触させることができることから、効率的にウイルスを死滅させることができる。
【００４７】
よって、複数人が集まった場所で使用する場合でも、飛沫によるウイルス感染を防止することができ、飛沫によるウイルス感染が流行している状況でも、カラオケ等のように複数人が集まって発声することができる。
【図面の簡単な説明】
【００４８】
【図１】自己音声認識装置の前方斜視図である（実施例１）。
【図２】自己音声認識装置の後方斜視図である（実施例１）。
【図３】自己音声認識装置の前方分解斜視図である（実施例１）。
【図４】自己音声認識装置の後方分解斜視図である（実施例１）。
【図５】アーム状ユニットの先端部分を示す斜視図である。
【図６】図３におけるアーム状ユニットのＡ−Ａ断面図である。
【図７】自己音声認識装置の使用状態を示す前方斜視図である（実施例１）。
【図８】ファンユニットの応用例を示す斜視図である。
【図９】自己音声認識装置の前方斜視図である（実施例２）。
【図１０】自己音声認識装置の後方斜視図である（実施例２）。
【図１１】自己音声認識装置の前方分解斜視図である（実施例２）。
【図１２】自己音声認識装置の後方分解斜視図である（実施例２）。
【発明を実施するための形態】
【００４９】
本発明においては、自己の音声を認識しやすくする自己音声認識装置において、複数人が集まった場所で使用する場合でも、飛沫によるウイルス感染を防止することができ、飛沫によるウイルス感染が流行している状況でも、カラオケ等のように複数人が集まって発声することができる自己音声認識装置を提供するという目的を以下のようにして実現した。
【実施例１】
【００５０】
本発明に基づく自己音声認識装置１は、図１〜図６に示すように構成され、装置本体３と、装置本体支持部１００とを有している。
【００５１】
ここで、装置本体３は、アーム状ユニット５と、除菌シート４０と、シート状部５０と、耳パッド６０と、ファンユニット７０を有している。除菌シート４０とシート状部５０と耳パッド６０とファンユニット７０は、アーム状ユニット５に取り付けられる。詳しくは後述する。
【００５２】
アーム状ユニット５は、導音部７と、導音部７の先端から連設された呼気遮蔽ユニット３０を有している。
【００５３】
導音部７は、第１筒状部１０と、第１筒状部１０の先端から連設された第２筒状部２０を有している。
【００５４】
第１筒状部１０は、後端側が閉鎖された筒状を呈し、板状の外板部１２と、外板部１２と平行（略平行としてもよい）に設けられた板状の内板部１４と、外板部１２の周端と内板部１４の周端を連結する連結部１６とを有している。
【００５５】
ここで、外板部（第１外板部）１２は、細長の板状を呈し、直線状の辺部１２ａと、辺部１２ａと平行な直線状の辺部１２ｂと、辺部１２ａの後端（導音部７の基端側の端部）と辺部１２ｂの後端（導音部７の基端側の端部）を結ぶ半円状（略半円状としてもよい）の辺部１２ｃと、辺部１２ａの先端（導音部７の先端側の端部）と辺部１２ｂの先端（導音部７の先端側の端部）を結び辺部１２ａ、１２ｂに対して直角の直線状の辺部１２ｄにより囲まれた板状を呈している。
【００５６】
また、内板部（第１内板部）１４は、細長の板状を呈し、直線状の辺部１４ａと、辺部１４ａと平行な辺部１４ｂと、辺部１４ａの後端（導音部７の基端側の端部）と辺部１４ｂの後端（導音部７の基端側の端部）を結ぶ半円状の辺部１４ｃと、辺部１４ａの先端（導音部７の先端側の端部）と辺部１４ｂの先端（導音部７の先端側の端部）を結び辺部１４ａ、１４ｂに対して直角の直線状の辺部１４ｄにより囲まれた板状を呈している。内板部１４は、先端側が若干短く形成されている点を除いて、外板部１２と同大同形状に形成されている。
【００５７】
また、連結部１６は、全体に帯状の板状に形成され、辺部１２ａと辺部１４ａ間に設けられた連結部１６−１と、辺部１２ｂと辺部１４ｂ間に設けられた連結部１６−２と、辺部１２ｃと辺部１４ｃ間に設けられた連結部１６−３とを有している。連結部１６−１と連結部１６−２は細長長方形状の板状であり、連結部１６−３は、細長長方形状の板状を半円状（略半円状としてもよい）に湾曲させた形状を呈し、連結部１６−３は、連結部１６−１と連結部１６−２間に設けられている。連結部１６−１と連結部１６−２は、互いに平行（略平行としてもよい）で、外板部１２と内板部１４に対して直角となっている。つまり、第１筒状部１０は、四角筒状となっている。
【００５８】
なお、外板部１２と内板部１４と連結部１６−１、１６−２は、平板状を呈している。
【００５９】
内板部１４の後端側の領域には、円形の開口部（第２開口部）１５が設けられ、流入口Ｒ１から流入した発声音が導音部７を通して開口部１５から流出し、耳パッド６０に接する耳に発声音を伝えることができる。
【００６０】
第１筒状部１０は、上記のように構成されており、後端側が閉鎖された（つまり、連結部１６−３により後端側が閉鎖されている）筒状を呈している。
【００６１】
また、外板部１２の先端側の領域には、開口部（第１開口部）１２−１が設けられ、第１筒状部１０内の空気は、開口部１２−１からファンユニット７０により排出される。この開口部１２−１は、導音部７の先端から後端までの途中位置に設けられているといえる。
【００６２】
また、外板部１２の後端側の領域には、ネジ部１１０を挿通するための穴部１２−２が設けられている。ネジ部１１０を穴部１２−２に挿通するとともに、耳対応部１０６の穴部１０６ｃに挿通した状態で、ナット１１２をネジ部１１０に螺着することにより、装置本体３が装置本体支持部１００に取り付けられる。
【００６３】
第２筒状部２０は、筒状を呈し、板状の外板部２２と、外板部２２と平行（略平行としてもよい）に設けられた板状の内板部２４と、外板部２２と内板部２４を連結する一対の連結部２６−１、２６−２とを有している。
【００６４】
ここで、外板部（第２外板部）２２は、方形状の板状を呈し、直線状の辺部２２ａと、辺部２２ａと平行な直線状の辺部２２ｂと、辺部１２ｄに沿った直線状の辺部２２ｃと、辺部２２ｃと反対側の直線状の辺部とを有している。外板部２２は、外板部１２の先端側の端部から連設されていて、外板部１２に対して屈曲している。つまり、内板部１４の露出面（外板部１２とは反対側の面）と内板部２４の露出面（外板部２２とは反対側の面）は、鈍角（具体的には、１２０度〜１５０度）をなしている。
【００６５】
また、内板部（第２内板部）２４は、略方形状の（つまり、先端側が円弧状に切り欠かれた）板状を呈し、直線状の辺部２４ａと、辺部２４ａと平行な直線状の辺部２４ｂと、辺部１４ｄに沿った直線状の辺部２４ｃと、辺部２４ｃと反対側の円弧状の辺部２４ｄとを有している。内板部２４は、内板部１４の先端側の端部から連設されていて、内板部１４に対して屈曲している。つまり、外板部１２の内側の面（内板部１４側の面）と外板部２２の内側の面（内板部２４側の面）は、鈍角（具体的には、１２０度〜１５０度）をなしている。
【００６６】
また、連結部（第２連結部）２６−１、２６−２は、全体に帯状の板状に形成され、連結部２６−１は、辺部２２ａと辺部２４ａ間に設けられ、連結部２６−２は、辺部２２ｂと辺部２４ｂ間に設けられている。該連結部２６−１は、連結部１６−１の先端側の端部から連設され、連結部１６−１と同一平面上に形成されているが、連結部１６−１、２６−１側の面側から視認した際に、連結部２６−１は、連結部１６−１に対して屈曲している。また、連結部２６−２は、連結部１６−２の先端側の端部から連設され、連結部１６−２と同一平面上に形成されているが、連結部１６−２、２６−２側の面側から視認した際に、連結部２６−２は、連結部１６−２に対して屈曲している。連結部２６−１と連結部２６−２は、互いに平行（略平行としてもよい）で、外板部２２と内板部２４に対して直角となっている。つまり、第２筒状部２０は、四角筒状となっている。
【００６７】
なお、外板部２２と内板部２４と連結部２６−１、２６−２は、平板状を呈している。
【００６８】
第２筒状部２０は、上記のように、全体に筒状を呈し、第２筒状部２０の内側の空間は、第１筒状部１０の内側の空間と連通していて、第２筒状部２０は、第１筒状部１０に対して屈曲している。第２筒状部２０は、第１筒状部１０に対して屈曲しているので、呼気遮蔽部３２を使用者の口の前に配置させることができる。
【００６９】
第２筒状部２０の先端には、流入口Ｒ１が設けられ、この流入口Ｒ１から呼気遮蔽ユニット３０に吹き付けられた呼気や発声音が導音部７内に流入する。以上のように、導音部７は、先端側が開口した（つまり、第２筒状部２０の先端側が開口している）筒状を呈している。
【００７０】
なお、装置本体支持部１００を使用者の頭部に装着した状態では、内板部１４、２４（つまり、内板部１４、２４の外板部１２、２２とは反対側の面）が使用者側を向き、外板部１２、２２（つまり、外板部１２、２２の内板部１４、２４とは反対側の面）が使用者側とは反対側を向く。
【００７１】
次に、呼気遮蔽ユニット３０は、第２筒状部２０の先端（つまり、導音部７の先端の開口）から連設されていて、呼気遮蔽ユニット３０は、外板部２２の先端から連設された呼気遮蔽部（板状部）３２と、呼気遮蔽部３２の周端の一部から連設され、呼気遮蔽部３２の面に対して直角に呼気遮蔽部３２に対して立設した帯状の壁部３４と、内板部２４の先端（辺部２４ｄ）から連設され、内板部２４の面に対して直角に内板部２４に対して立設した帯状の壁部３６とを有している。
【００７２】
呼気遮蔽部３２は、略円形の板状（より具体的には、平板状）を呈し、円弧状（略円弧状としてもよい）の辺部と、外板部２２の先端側の辺部に沿った辺部に囲まれた形状を呈していて、呼気遮蔽部３２の周端（つまり、輪郭）は、外板部２２の前後方向（先端と後端を結ぶ方向）の中心線Ｊ１を介して左右線対称（略左右線対称としてもよい）に形成されている。
【００７３】
呼気遮蔽部３２においては、外板部２２の外側の面から連続した面が外側の面３２ａとなり、外板部２２の内側の面（内板部２４側の面）から連続した面が内側の面３２ｂとなる。この内側の面３２ｂが、除菌シートを固定するための固定面となる。
【００７４】
呼気遮蔽部３２の幅（最大幅）Ｎ１は、外板部２２の幅Ｎ２よりも長く形成されている。つまり、幅Ｎ１及び幅Ｎ２は、中心線Ｊ１と直角方向の長さであり、呼気遮蔽部３２は、外板部２２よりも幅広に形成されている。つまり、導音部７の最大幅はＮ２であるので、呼気遮蔽部３２の幅（最大幅）Ｎ１は、導音部７の幅（最大幅）Ｎ２よりも長くなっている。このように、呼気遮蔽部３２は、外板部２２よりも幅広に形成され、さらに、周端が略円弧状に形成されているので、呼気遮蔽部３２の内側の面３２ｂは広い面積を有し、呼気を十分遮蔽することができるとともに、除菌シート４０も大きくできるので、呼気中のウイルスを十分除去することができる。
【００７５】
壁部３４は、呼気遮蔽部３２の内側の面に対して直角に立設し、略同一幅の帯状に形成されていて、呼気遮蔽部３２の円弧状の周端に沿って形成されている。つまり、壁部３４は、連結部２６−１の先端から連設されて、呼気遮蔽部３２の周端に沿って形成され、連結部２６−２の先端まで形成されている。つまり、壁部３４は、呼気遮蔽部３２の円弧状の周端の全周にわたって形成されている。この壁部３４により、除菌シート４０に吹き付けられた呼気が呼気遮蔽部３２の外周方向に漏れ出すのを止めることができる。
【００７６】
なお、自己音声認識装置１を頭部に装着した状態では、呼気遮蔽ユニット３０は、図７に示すように、使用者Ｗの口の前方に位置し、呼気遮蔽部３２の内側の面は、右側斜め後方を向くとともに、斜め上方を向いてて、壁部３４は、使用者の顔の向きに対して背面側に位置するので、この壁部３４により、除菌シート４０に吹き付けられた呼気が呼気遮蔽部３２の背面側に漏れ出すのを止めることができる。
【００７７】
また、壁部３６は、内板部２４の外側の面に対して直角に立設し、略同一幅の帯状を呈し、略帯状の板形状が円弧状に湾曲された形状を呈している。
【００７８】
これらの壁部３４、３６により、呼気遮蔽部３２に固定された除菌シート４０に吹き付けられた呼気（つまり、口や鼻から吐いた息）が呼気遮蔽部３２の外周方向に拡散せず、導音部７内に吸い込まれやすくすることができる。
【００７９】
アーム状ユニット５は、全体に合成樹脂により一体に形成されている。
【００８０】
また、除菌シート４０は、シート状を呈し、フェルト布のように液体を染みこませることができる材質で形成されている。除菌シート４０は、円弧状の周端を有する本体部４２と、本体部４２から突出して連設された連設部４４とを有している。本体部４２の円弧の径は、呼気遮蔽部３２の円弧の径と略同一に（厳密には、やや短く）形成され、本体部４２が呼気遮蔽部３２の内側の面に接着可能となっている。
【００８１】
また、連設部（突状部）４４は、方形状に形成され、横方向の幅Ｌ１は、連結部２６−１と連結部２６−２間の長さと略同一に（厳密には、やや短く）形成され、前後方向の長さＬ２は、外板部２２の前後方向の長さ（軸線Ｊ１に沿った長さ）よりも短く形成されている。これにより、連設部４４を外板部２２の内側の面に接着可能となっている。連設部４４は、外板部２２の内側の面に接着され、外板部２２における内板部２４に対応する領域まで設けられていて、これにより、連設部４４は、第２筒状部２０の内側の面まで設けられている。
【００８２】
除菌シート４０には、アルコール溶液等の除菌液が塗布されていて、除菌シート４０に吹き付けられた呼気中の飛沫に含まれる菌やウイルスを死滅させることができる。除菌シート４０は、呼気遮蔽部３２及び外板部２２の内側の面に接着により固定されている。接着の方法は、任意であるが、例えば、両面接着テープにが用いられる。
【００８３】
また、シート状部５０は、円形のシート状部材であり、開口部１５を塞ぐことができる大きさに形成されている。このシート状部５０は、不織布により形成されている。このシート状部５０により、流入口Ｒ１から流入した呼気中の飛沫が開口部１５から外部に漏れて耳に入るのを防止することができるとともに、ファンユニット７０のプロペラファン７５が回転することによる吸引力により耳がひっぱられる不快感を防止することができる。なお、シート状部５０を不織布製とすることにより、導音部７内を伝わる音声を耳に伝えるのに支障がない。例えば、シート状部５０をパラフィン紙により形成する場合に比べて、不織布製とすることにより、導音部７を伝わる音声を開口部１５を介して聞きやすくすることができる。
【００８４】
また、耳パッド６０は、円形の略ドーム状の柔軟部材であり、第１筒状部１０の内板部１４の後端領域、つまり、内板部１４における開口部１５が形成された領域をカバーするように内板部１４に接着等により固定されている。開口部１５（つまり、内板部１４における開口部１５が形成された領域）及びシート状部５０は、耳パッド６０によりカバーされている。耳パッド６０は、例えば、スポンジ状の合成樹脂により形成されている。耳パッド６０は、装置本体支持部１００を使用者の頭部に装着した状態で、使用者の耳（左耳）に接する。
【００８５】
また、ファンユニット７０は、外板部１２の外側の面に取り付けられていて、ファンユニット７０は、略直方体形状のケース部（筐体）７１と、ケース部７１内に設けられたモータ（駆動部）７４と、モータ７４により回転するプロペラファン（ファン）７５とを有し、ケース部７１の内面部７１−１（外板部１２側の面、導音部７側の面）には、開口部（吸引口）７２が設けられ、外面部７１−２（内面部７１−１と反対側の面、導音部７側とは反対側の面）には、開口部（排出口）７３が設けられている。ケース部７１は、開口部１２−１の位置に設けられ、開口部７２は、開口部１２−１と連通している。ファンユニット７０は、いわゆるファンモータにより構成されている。ファンユニット７０は、開口部７２から空気を吸引して開口部７３から排出することにより、導音部７内の空気を排出するものである。
【００８６】
ケース部７１の内面部７１−１の外周の輪郭は開口部１２−１よりも大きく形成され、ケース部７１は、外板部１２の外側の面にケース部７１の内面部７１−１が開口部１２−１を塞ぐように取り付けられ、開口部７２と開口部１２−１が連通している。
【００８７】
モータへの給電については、ファンユニット７０から導出されたケーブル７９からモータに給電されるが、給電の方法は任意であり、ケーブル７９を乾電池や充電池等の直流電源に接続する方法や、ＡＣアダプタを介して交流電源に接続する方法が考えられる。直流電源に接続する場合の例としては、ケーブル７９をスイッチ付きの電池ボックスに接続し、該電池ボックスに乾電池を入れた状態でスイッチをオン操作することによりプロペラファン７５が回転する方法や、給電する電圧値を数段階に切り換えることができる電圧調整回路を備えた充電池ボックスに接続し、該充電池ボックスに設けられたスイッチを切換え操作することにより、プロペラファン７５の回転数を調整する方法が考えられる。また、交流電源に接続する場合の例としては、ケーブル７９にＵＳＢ端子を設け、該ＵＳＢ端子を交流電源に接続されたＡＣアダプタに接続することにより、ＡＣアダプタにより交流電圧から直流電圧に変換してモータに給電する方法が考えられる。
【００８８】
プロペラファン７５が回転することにより、導音部７の流入口Ｒ１から気体が流入し、開口部１２−１及び開口部７２を経て、開口部７３から排出される。
【００８９】
また、装置本体支持部１００は、支持部本体１０２と、カバー部１０８と、カバー部１１８と、耳パッド１２０とを有している。
【００９０】
支持部本体１０２は、ヘッドバンド１０４と、ヘッドバンド１０４の左側の端部に連設された耳対応部１０６と、ヘッドバンド１０４の右側の端部に連設された耳対応部１１６とを有している。支持部本体１０２は、全体に合成樹脂により一体に形成されている。
【００９１】
ヘッドバンド１０４は、全体に帯状部材を略円弧状に湾曲した形状を呈している。つまり、ヘッドバンド１０４は、装置本体支持部１００を使用者の頭部に装着した状態で、使用者の頭部の表面に沿うように湾曲した略帯状を呈している。
【００９２】
耳対応部（接続部、耳当て部）１０６は、略円弧状の枠状部１０６ａと、枠状部１０６ａの外側（外板部１２側とは反対側）の端部から枠状部１０６ａの中央側（略円弧状における中心側）に連設された凹状部１０６ｂを有し、凹状部１０６ｂの略中心には、ネジ部１１０が挿通するための穴部１０６ｃが設けられている。支持部本体１０２が第１筒状部１０に取り付けられた状態では、枠状部１０６ａの内側の端部と凹状部１０６ａの内側の端部は、外板部１２の外側の面に接した状態となっている。耳対応部１０６は、装置本体支持部１００を装置本体３と接続する接続部として機能する。
【００９３】
耳対応部（耳当て部）１１６は、耳対応部１０６と左右対称に形成されている。
【００９４】
カバー部１０８は、円形の略ドーム状の剛性部材であり、耳対応部１０６の凹状部１０６ｂの外側の面をカバーするように枠状部１０６ａの外側に接着等により固定されている。ネジ部１１０の先端とナット１１２は、このカバー部１０８によりカバーされている。
【００９５】
耳対応部１０６と第１筒状部１０の外板部１２は、ネジ部１１０とナット１１２により固定されているので、耳対応部１０６は外板部１２に対して回転可能であり、アーム状ユニット５が耳対応部１０６に対して回転可能となる程度にナット１１２を締め付けておくことにより、装置本体３を装置本体支持部１００に対してネジ部１１０の軸部１１０ａを中心に回転させることができる。
【００９６】
また、カバー部１１８は、カバー部１０８と左右対称に形成され、円形の略ドーム状の剛性部材であり、耳対応部１１６の凹状部（凹状部１０６ｂと同様の構成の凹状部）の外側の面をカバーするように枠状部（枠状部１０６ａと同様の構成の枠状部）の外側に接着等により固定されている。
【００９７】
また、耳パッド１２０は、円形の略ドーム状の柔軟部材であり、耳対応部１１６の内側をカバーするように耳対応部１１６に接着等により固定されている。
【００９８】
装置本体支持部１００における耳パッド１２０以外の構成は、剛性の部材（例えば、合成樹脂）により形成されている。
【００９９】
上記ヘッドバンド１０４と、耳対応部１１６と、カバー部１１８と、耳パッド１２０とで、頭部装着部１２１が構成され、この頭部装着部１２１は、耳対応部１１６から連設され、装置本体支持部１００を使用者の頭部に装着した状態で、使用者の頭部に固定して装着されるものである。
【０１００】
なお、頭部装着部としては、耳対応部１１６とカバー部１１８と耳パッド１２０の構成が省略されたものでもよく、耳対応部１０６からヘッドバンド１０４のみが連設された構成として、ヘッドバンド１０４を頭部に装着することにより、装置本体支持部１００を頭部に装着する構成としてもよい。つまり、この場合には、装置本体支持部１００は、ヘッドバンド１０４と耳対応部１０６のみからなる構成となる。
【０１０１】
また、耳対応部１１６と、カバー部１１８と、耳パッド１２０とで、耳接触ユニット１２２（ヘッドバンド１０４の耳対応部１０６とは反対側の端部から連設された耳接触ユニット）が構成され、この耳接触ユニット１２２は、ヘッドバンド１０４の耳対応部１０６側とは反対側の端部から連設され、開口部１５側の耳とは反対側の耳に接する耳パッド１２０を有するものである。
【０１０２】
装置本体支持部１００を使用者の頭部に装着した状態では、使用者の口から出る呼気が除菌シート４０に吹き付けられる位置に呼気遮蔽部３２が配置される。なお、除菌シート４０が呼気遮蔽部３２及び外板部２２に接着されていない状態では、使用者の口から出る呼気が呼気遮蔽部３２（具体的には、呼気遮蔽部３２の内側の面３２ｂ（固定面））に吹き付けられる位置に呼気遮蔽部３２が配置される。
【０１０３】
上記構成の自己音声認識装置１の使用方法について説明する。自己音声認識装置１を使用するには、図７に示すように、自己音声認識装置１を使用者Ｗの頭部に装着する。つまり、ヘッドバンド１０４が頭部の上方にある状態で、耳パッド６０が左耳に接し、耳パッド１２０が右耳に接した状態する。つまり、ヘッドホンを装着する要領で、自己音声認識装置１を頭部に装着する。自己音声認識装置１を頭部に装着した状態では、第１筒状部１０が顔の左側に位置する。
【０１０４】
その後、装置本体３の装置本体支持部１００に対する回動角度を調整して、使用者の口の前方に呼気遮蔽ユニット３０が位置するようにする。以上のようにして、自己音声認識装置１を頭部に装着する。
【０１０５】
自己音声認識装置１を頭部に装着したら、ファンユニット７０の電源をオンとしてプロペラファン７５が回転した状態で、使用者が歌唱等の発声をする。すると、使用者の口から発せられた音声は、導音部７内を通って開口部１５から流出して、耳パッド６０に接した耳に伝えられる。
【０１０６】
これにより、使用者は、自分の音声を十分認識することができる。つまり、通常人間の口から出た音声は骨伝導を通じて耳に伝えられるが、骨伝導による音声の伝達能力が低い使用者であっても、自分の音声を認識しやすくすることができる。また、カラオケの伴奏音やコーラスにおける他人の声等のように、自己の音声以外の音が耳に入る環境の場合でも、自己を音声を認識しやすくできる。自己の音声を認識しやすくできるので、自己が意図する発声がしやすくなり、例えば、歌唱においては、音程や歌詞の誤りを防止し、また、英語学習においては、発音の誤りを防止することができる。
【０１０７】
さらに、使用者が発声することにより呼気遮蔽ユニット３０に向けて吹き付けられた呼気は除菌シート４０に接触した後に、ファンユニット７０による吸引力により流入口Ｒ１から導音部７内に流入し、導音部７の開口部１２−１からファンユニット７０を経てファンユニット７０の開口部７３から排出される。呼気中の飛沫は除菌シート４０に接触するので、飛沫中のウイルスを死滅させることができ、開口部７３から排出される空気は除菌されている。
【０１０８】
特に、ファンユニット７０により呼気を吸引しているので、呼気は周囲に拡散することなく、除菌シート４０に接触しやすくでき、また、呼気遮蔽ユニット３０の周りの呼気も吸引して、除菌シート４０に接触させることができることから、効率的にウイルスを死滅させることができる。また、除菌シート４０の連設部４４は、第２筒状部２０の内側の面にも設けられているので、第２筒状部２０内を呼気が通過する際にも、飛沫が連設部４４に接して飛沫中のウイルスを死滅させることができる。
【０１０９】
さらには、使用者の呼気は、ファンユニット７０の開口部７３から排出されて、呼気は使用者の前側ではなく側方に排出されているので、使用者が他の人と対面して会話する場合には、対面している人に飛沫が到達するおそれを小さくでき、対面している人が飛沫感染するおそれを防止することができる。ただし、開口部７３から排出される空気は、上記のように除菌されているので、使用者の側方に排出することにより、より安全にすることができる。
【０１１０】
これにより、複数人が集まった場所で使用する場合でも、飛沫によるウイルス感染を防止することができ、飛沫によるウイルス感染が流行している状況でも、カラオケ等のように複数人が集まって発声することができる。
【０１１１】
上記実施例１の自己音声認識装置１の応用例として、図８に示すような構成としてもよい。
【０１１２】
すなわち、図８に示す構成においては、ケース部７１の外面部７１−２に開口部７３を開閉するためのカバー部７６と、カバー部７６を回動自在に軸支するためのネジ部７８と、開口部７３を閉じた状態のカバー部７６を固定するための押さえ部７７が設けられている。ここで、カバー部７６は、方形状の板状を呈し、外面部７１−２の外形と略同一の形状を有し、カバー部７６を外面部７１−２に重ねた状態では、カバー部７６が開口部７３をカバーするようになっている。このカバー部７６には、ネジ部７８の軸部を挿通するための穴部（図示せず）が設けられ、この穴部の径は、ネジ部７８の頭部の径よりも小さく形成されている。
【０１１３】
また、ネジ部７８は、頭部と頭部から連設された軸部とを有し、外面部７１−２の角部に設けられたネジ穴に螺合されている。なお、ネジ部７８の締付け具合は、カバー部７６がネジ部７８の軸部を中心に回動可能な程度となっている。
【０１１４】
また、押さえ部７７は、板状を呈し、平板状の基端部７７−１と、基端部７７−１から連設され略円弧状に湾曲した先端部７７−２とを有している。基端部７７−１の基端側には、穴部が設けられ、該穴部にネジ部７８の軸部が挿通されている。押さえ部７７の穴部の径は、ネジ部７８の頭部の径よりも小さく形成されている。この押さえ部７７は、カバー部７６とネジ部７８の頭部の間に設けられている。押さえ部７７の長手方向の長さは、図８（ａ）に示すように、カバー部７６を閉じた状態で、押さえ部７７をカバー部７６の辺部に対して斜めにして、押さえ部７７の先端をカバー部７６の対角位置の方向に向けた場合に、先端部７７−２の先端が、カバー部７６の中央領域に位置するような長さとなっている。このように、先端部７７−２の先端がカバー部７６の中央領域に位置することにより、カバー部７６が開口部７３を閉じた状態でカバー部７６を固定することができる。
【０１１５】
このカバー部７６の使用方法としては、プロペラファン７５を回転させて使用する場合には、図８（ｂ）に示すように、カバー部７６を開口部７３に対して開けた状態とし、一方、周囲に人がおらず一人で使用する場合には、プロペラファン７５を回転させる必要がない（つまり、呼気を吸引する必要がない）ので、図８（ａ）に示すように、カバー部７６により開口部７３を閉じた状態する。つまり、開口部７３が開いていると、開口部７３から音声が漏れてしまい、開口部１５からの音声が聞きづらいおそれがあるので、プロペラファン７５を使用しない場合には、カバー部７６により開口部７３を閉じた状態とする。
【０１１６】
なお、上記の説明においては、耳パッド６０が左耳に接し、耳パッド１２０が右耳に接する状態で、自己音声認識装置１を装着し、自己音声認識装置１を装着した状態では、装置本体３、特に、第１筒状部１０が顔の左側に位置するものとして説明したが、自己音声認識装置１を左右対称の構成として、自己音声認識装置１を装着した場合には、装置本体３、特に、第１筒状部１０が顔の右側に位置する構成としてもよい。
【０１１７】
自己音声認識装置１を左右対称の構成とした場合に、自己音声認識装置１を頭部に装着した状態では、使用者の口の前方に位置する呼気遮蔽ユニット３０においては、呼気遮蔽部３２の内側の面は、左側斜め後方を向くとともに、斜め上方を向くが、壁部３４が左右対称に構成されるので、壁部３４は、使用者の顔の向きに対して背面側に位置し、壁部３４により、除菌シート４０に吹き付けられた呼気が呼気遮蔽部３２の背面側に漏れ出すのを止めることができる。
【実施例２】
【０１１８】
次に、実施例２の自己音声認識装置について説明する。実施例２の自己音声認識装置１’は、実施例１の自己音声認識装置１と略同様の構成であるが、ファンユニットにおいて、プロペラファンの代わりにシロッコファンを用いている点が異なる。
【０１１９】
すなわち、自己音声認識装置１’は、図９〜図１２に示すように、装置本体３’と、装置本体支持部１００を有し、装置本体３’は、アーム状ユニット５と、除菌シート４０と、シート状部５０と、耳パッド６０と、ファンユニット８０を有している。
【０１２０】
ここで、アーム状ユニット５は、導音部７と、導音部７の先端から連設された呼気遮蔽ユニット３０を有し、導音部７は、第１筒状部１０と、第１筒状部１０の先端から連設された第２筒状部２０を有している。
【０１２１】
ここで、第１筒状部１０の構成は、実施例１の第１筒状部１０の構成と略同一であるが、外板部１２の先端側の領域に設けられた開口部１２−１’は、実施例１の開口部１２−１と異なり、円形である点が異なる。
【０１２２】
第１筒状部１０の構成は、上記の点を除き、実施例１の第１筒状部１０と同様であるので、詳しい説明を省略する。また、第２筒状部２０は、実施例１の第２筒状部２０と同様の構成であるので、詳しい説明を省略する。アーム状ユニット５は、全体に合成樹脂により一体に形成されている。
【０１２３】
また、除菌シート４０とシート状部５０と耳パッド６０の構成は、実施例１と同様の構成であるので、詳しい説明を思料する。
【０１２４】
また、ファンユニット８０は、ケース部８２と、ケース部８２内に回転可能に収納されたシロッコファン９０とを有している。
【０１２５】
ケース部８２は、円形の外面部（閉鎖面部）８２−１と、外面部８２−１の周端から立設された筒状（具体的には、円筒状）の側面部８２−２を有している。側面部８２−２の内側の端部（外面部８２−１とは反対側の端部）は、開口していて、開口端（吸引口）８４が設けられている。開口端８４は、開口部１２−１’の位置に設けられ、開口端８４と開口部１２−１’とは連通している。側面部８２−２には、排気用の開口部（排出口）８５が設けられている。つまり、開口部８５は、ケース部８２におけるシロッコファン９０の周面に対応した位置に設けられている。
【０１２６】
なお、側面部８２−２は、シロッコファン９０の周面の外側に形成された略筒状を呈していればよく、例えば、側面部８２−２の周方向に対する直角方向の幅全体に切り欠いた切欠きを設けて、該切欠きを排出口としてもよい。
【０１２７】
この開口部８５の側面部８２−２における形成位置は、シロッコファン９０の回転中心をなす軸線Ｊ３に対する直角方向の仮想直線で開口部８５の中心を通る仮想直線Ｊ４の方向が、外板部１２の前後方向（先端と後端を結ぶ方向）の中心線Ｊ２に対して直角となる位置となっている。これにより、開口部８５から排出される空気は、自己音声認識装置１を頭部に装着して使用する状態では、使用者の前方には排出されないようになっていて、他の人と対面する場合に、対面する人に飛沫が到達するおそれを小さくすることができる。なお、仮想直線Ｊ４における軸線Ｊ３側から反対側への方向が、軸線Ｊ２に対する直角方向よりも外板部１２の後端側となるような位置に開口部８５を設ける（つまり、側面部８２−２における仮想平面（軸線Ｊ３を通るとともに、軸線Ｊ２に対して垂直な仮想平面）よりも後端側の領域に開口部８５を設ける）ことにより、外板部１２における後端方向に向けて空気を排出できるので、より使用者の前方に排出されないようにすることができ、他の人と対面する場合に、対面する人に飛沫が到達するおそれをより小さくすることができる。例えば、開口部８５を第１筒状部１０の後端側の方向（軸線Ｊ２における後端側の方向）に設ける。ただし、開口部８５から排出される空気は、上記のように除菌されているので、使用者の前方に排出されないようにすることにより、より安全にすることができる。
【０１２８】
外面部８２−１の内側の面には、モータ（駆動部）８６が固定して設けられ、モータ８６は、外面部８２−１の内側の面に固定されたモータ本体８７と、モータ本体８７から内側に突出した回転軸８８を有し、回転軸８８は、モータ本体８７から突出した本体部８８−１と、本体部８８−１の先端から突出した先端部８８−２とを有し、先端部８８−２は、本体部８８−１と同軸に形成され、先端部８８−２の径は、本体部８８−１の径よりも小さく形成されている。先端部８８−２には、ネジ溝が周設されている。この先端部８８−２には、ナット９９が螺合する。
【０１２９】
モータ８６への給電の方法は、実施例１と同様であり、ファンユニット８０から導出されたケーブル８９からモータ８６に給電されるが、給電の方法は任意であり、ケーブル８９を乾電池や充電池等の直流電源に接続する方法や、ＡＣアダプタを介して交流電源に接続する方法が考えられる。直流電源に接続する場合の例としては、ケーブル８９をスイッチ付きの電池ボックスに接続し、該電池ボックスに乾電池を入れた状態でスイッチをオン操作することによりシロッコファン９０が回転する方法や、給電する電圧値を数段階に切り換えることができる電圧調整回路を備えた充電池ボックスに接続し、該充電池ボックスに設けられたスイッチを切換え操作することにより、シロッコファン９０の回転数を調整する方法が考えられる。また、交流電源に接続する場合の例としては、ケーブル８９にＵＳＢ端子を設け、該ＵＳＢ端子を交流電源に接続されたＡＣアダプタに接続することにより、ＡＣアダプタにより交流電圧から直流電圧に変換してモータ８６に給電する方法が考えられる。
【０１３０】
ケース部８２は、開口端８４が外板部１２の外側の面に固定され、ケース部８２が開口部１２−１’を塞いだ状態で、固定されている。
【０１３１】
シロッコファン（ファン）９０は、外面部９２と、外面部９２の円環状部９３と間隔を介して内側に設けられた円環状部９６と、外面部９２と円環状部９６間に設けられた複数の羽根部９８を有している。
【０１３２】
外面部９２は、円環状の板状を呈する円環状部９３と、円環状部９３の内周端から内側に連設された凹部９４とを有している。円環状部９３の外径と円環状部９６の外径は同一（略同一としてもよい）に形成され、円環状部９６の径方向の幅は、円環状部９３の径方向の幅よりも短く成形されている。
【０１３３】
凹部９４は、円筒状の側面部９４−１と、側面部９４−１の内側の端部を閉鎖する内板部９４−２を有し、凹部９４内には、モータ８６（特に、モータ本体８７）が収納されている。この内板部９４−２には、先端部８８−２が挿通する穴部９４ａが設けられ、穴部９４ａの径は、本体部８８−１の径よりも小さく形成され、穴部９４ａに先端部８８−２を挿通した状態でナット９９を螺合することにより、内板部９４−２は、本体部８８−１とナット９９により挟まれた状態となって、シロッコファン９０が回転軸８８に固定される。
【０１３４】
複数の羽根部９８は、円環状部９３の内側の面の外周端と円環状部９６の外面部９２側の面に沿って周状に配設されている。
【０１３５】
モータ８６が回転することにより、円環状部９６の内側の開口から吸引された空気は、羽根部９８に沿った周面の外側に排出される。つまり、導音部７内の空気は、開口部１２−１’を介してシロッコファン９０により吸引され、ケース部８２の開口部８５から排出される。
【０１３６】
装置本体支持部１００は、実施例１における装置本体支持部１００と同様の構成であるので、詳しい説明を省略する。
【０１３７】
上記構成の自己音声認識装置１’の使用方法について説明する。自己音声認識装置１’を使用するには、実施例１の場合と同様に、自己音声認識装置１’を使用者の頭部に装着する。つまり、ヘッドバンド１０４が頭部の上方にある状態で、耳パッド６０が左耳に接し、耳パッド１２０が右耳に接した状態する。自己音声認識装置１’を頭部に装着した状態では、第１筒状部１０が顔の左側に位置する。
【０１３８】
その後、装置本体３の装置本体支持部１００に対する回動角度を調整して、使用者の口の前方に呼気遮蔽ユニット３０が位置するようにする。以上のようにして、自己音声認識装置１’を頭部に装着する。
【０１３９】
自己音声認識装置１’を頭部に装着したら、ファンユニット８０の電源をオンとしてシロッコファン９０が回転した状態で、使用者が歌唱等の発声をする。すると、使用者の口から発せられた音声は、導音部７内を通って開口部１５から流出して、耳パッド６０に接した耳に伝えられる。
【０１４０】
これにより、使用者は、自分の音声を十分認識することができる。つまり、骨伝導による音声の伝達能力が低い使用者であっても、自分の音声を認識しやすくすることができる。また、カラオケの伴奏音やコーラスにおける他人の声等のように、自己の音声以外の音が耳に入る環境の場合でも、自己を音声を認識しやすくできる。自己の音声を認識しやすくできるので、自己が意図する発声がしやすくなり、例えば、歌唱においては、音程や歌詞の誤りを防止し、また、英語学習においては、発音の誤りを防止することができる。
【０１４１】
さらに、使用者が発声することにより呼気遮蔽ユニット３０に向けて吹き付けられた呼気は除菌シート４０に接触した後に、ファンユニット８０による吸引力により流入口Ｒ１から導音部７内に流入し、導音部７の開口部１２−１’からファンユニット８０を経てファンユニット８０の開口部８５から排出される。呼気中の飛沫は除菌シート４０に接触するので、飛沫中のウイルスを死滅させることができる。
【０１４２】
特に、ファンユニット８０により呼気を吸引しているので、呼気は周囲に拡散することなく、除菌シート４０に接触しやすくでき、また、呼気遮蔽ユニット３０の周りの呼気も吸引して、除菌シート４０に接触させることができることから、効率的にウイルスを死滅させることができる。また、除菌シート４０の連設部４４は、第２筒状部２０の内部に設けられているので、第２筒状部２０内を呼気が通過する際にも、飛沫が連設部４４に接して飛沫中のウイルスを死滅させることができる。
【０１４３】
さらには、使用者の呼気は、ファンユニット８０の開口部８５から排出されて、呼気は使用者の前側ではなく側方に排出されるので、使用者が他の人と対面して会話する場合には、対面している人に飛沫が到達することがなく、対面している人が飛沫感染するおそれを防止することができる。
【０１４４】
これにより、複数人が集まった場所で使用する場合でも、飛沫によるウイルス感染を防止することができ、飛沫によるウイルス感染が流行している状況でも、カラオケ等のように複数人が集まって発声することができる。
【０１４５】
また、実施例２の自己音声認識装置１’によれば、ファンユニット８０がシロッコファン９０を有するので、実施例１においてプロペラファン７５を用いた場合に比べて、ファン回転時の音が小さく、導音部７を通じた音声の認識が容易であり、小さな声で発声した場合でも認識することが可能となる。
【０１４６】
なお、実施例１で説明したのと同様に、自己音声認識装置１’を左右対称の構成として、自己音声認識装置１’を装着した場合には、装置本体３’、特に、第１筒状部１０が顔の右側に位置する構成としてもよい。
【０１４７】
自己音声認識装置１’を左右対称の構成とした場合に、自己音声認識装置１’を頭部に装着した状態では、使用者の口の前方に位置する呼気遮蔽ユニット３０においては、呼気遮蔽部３２の内側の面は、左側斜め後方を向くとともに、斜め上方を向くが、壁部３４が左右対称に構成されるので、壁部３４は、使用者の顔の向きに対して背面側に位置し、壁部３４により、除菌シート４０に吹き付けられた呼気が呼気遮蔽部３２の背面側に漏れ出すのを止めることができる。
【符号の説明】
【０１４８】
１  自己音声認識装置
１’  自己音声認識装置
３  装置本体
３’  装置本体
５  アーム状ユニット
７  導音部
１０  第１筒状部
１２  外板部
１２−１  開口部
１２−２  穴部
１４  内板部
１５  開口部
１６  連結部
１６−１  連結部
１６−２  連結部
１６−３  連結部
２０  第２筒状部
２２  外板部
２４  内板部
２６−１  連結部
２６−２  連結部
３０  呼気遮蔽ユニット
３２  呼気遮蔽部
３４  壁部
３６  壁部
４０  除菌シート
４２  本体部
４４  連設部
５０  シート状部
６０  耳パッド
７０  ファンユニット
７１  ケース部
７１−１  内側面部
７１−２  外側面部
７２  開口部
７３  開口部
７４  モータ
７５  プロペラファン
７６  カバー部
７７  押さえ部
７８  ネジ部
７９  ケーブル
８０  ファンユニット
８２  ケース部
８２−１  外面部
８２−２  側面部
８４  開口端
８５  開口部
８６  モータ
８７  モータ本体
８８  回転軸
８８−１  本体部
８８−２  先端部
８９  ケーブル
９０  シロッコファン
９２  外面部
９３  円環状部
９４  凹部
９４−１  側面部
９４−２  内板部
９６  円環状部
９８  羽根部
９９  ナット
１００  装置本体支持部
１０２  支持部本体
１０４  ヘッドバンド
１０６  耳対応部
１０８  カバー部
１１０  ネジ部
１１２  ナット
１１６  耳対応部
１１８  カバー部
１２０  耳パッド
１２１  頭部装着部
１２２  耳接触ユニット
【要約】
【課題】複数人が集まった場所で使用する場合でも、飛沫によるウイルス感染を防止することができ、飛沫によるウイルス感染が流行している状況でも、カラオケ等のように複数人が集まって発声することができる自己音声認識装置を提供する。
【解決手段】自己音声認識装置１は、筒状の導音部７と、導音部７の先端から連設された呼気遮蔽ユニット３０と、呼気遮蔽ユニット３０に固定された除菌シート４０と、導音部７に設けられたファンユニット７０等を有する装置本体３と、装置本体３を支持する装置本体支持部１００を有し、導音部７を通じて音声が開口部１５から使用者の耳に伝達されるとともに、使用者の呼気は、除菌シート４０により除菌されて、ファンユニット７０から排出される。
【選択図】図４【図１】
0006872835.tif 000002
【図２】
0006872835.tif 000003
【図３】
0006872835.tif 000004
【図４】
0006872835.tif 000005
【図５】
0006872835.tif 000006
【図６】
0006872835.tif 000007
【図７】
0006872835.tif 000008
【図８】
0006872835.tif 000009
【図９】
0006872835.tif 000010
【図１０】
0006872835.tif 000011
【図１１】
0006872835.tif 000012
【図１２】
0006872835.tif 000013